(57)【要約】【課題】容量値の製造ばらつきが小さいコンデンサ、そのコンデンサを有する配線基板、およびそれらを高効率で作製する製造方法を提供する。【解決手段】基板５と、基板５上に設けられた下部電極４と、少なくとも下部電極４上に設けられ、少なくとも熱硬化性を有する樹脂と誘電体フィラーとからなる誘電体層３と、誘電体層３の上に設けられ、熱硬化前の誘電体よりも高い剛性を有する上部電極２と、からなるコンデンサである。また上部電極２の少なくとも一部に基板５と上部電極２との間隔を規定するための突起部１５を有している。さらに上部電極２の誘電体層３に対向する面の少なくとも一部は、誘電体層３に接触していない事を特徴とする。製造方法は、下部電極４の上に熱硬化性樹脂と高誘電率フィラーからなる誘電体ペーストを供給し、上部電極２を誘電体ペーストの上からプレスし、熱硬化させる。【選択図】図１
2010278217.tif 000002
【特許請求の範囲】
【請求項１】
基板と、
前記基板上に設けられた下部電極と、
少なくとも前記下部電極上に設けられ、少なくとも熱硬化性を有する樹脂と誘電体フィラーとからなる誘電体層と、
前記誘電体層の上に設けられ、熱硬化前の前記誘電体よりも高い剛性を有する上部電極と、からなり、
前記上部電極の少なくとも一部に、前記基板と前記上部電極との間隔を規定するための突起部を有し、
前記上部電極の前記誘電体層に対向する面の少なくとも一部は、前記誘電体層に接触していない事を特徴とするコンデンサ。
【請求項２】
基板と、
前記基板上に設けられた下部電極と、
前記基板上と前記下部電極上に設けられ、少なくとも熱硬化性を有する樹脂と誘電体フィラーからなる誘電体層と、
前記誘電体層の上に設けられ、熱硬化前の前記誘電体よりも高い剛性を有する上部電極と、からなり、
前記上部電極の少なくとも一部に、前記基板と前記上部電極との間隔を規定するための突起部を有し、
前記誘電体層が前記上部電極と前記下部電極の間からはみ出ている事を特徴とするコンデンサ。
【請求項３】
前記上部電極の外周部の少なくとも一部に配された突起部がテーパー形状をしていることを特徴とする、請求項１又は２のいずれかに記載のコンデンサ。
【請求項４】
前記上部電極は金属からなる事を特徴とする請求項１から３のいずれか一に記載のコンデンサ。
【請求項５】
前記上部電極の少なくとも一部が多孔質である事を特徴とする、請求項４に記載のコンデンサ。
【請求項６】
前記上部電極が金属と絶縁体とからなる事を特徴とする、請求項１から３のいずれか一に記載のコンデンサ。
【請求項７】
前記上部電極の突起部の少なくとも一部が絶縁体であって、前記絶縁体が前記基板に接触する事を特徴とする、請求項６に記載のコンデンサ。
【請求項８】
前記上部電極は、金属よりも高い剛性を有する前記絶縁体からなる絶縁層と、
前記絶縁層を貫通し導電体からなるビアと、
前記絶縁層の前記誘電体層に隣接する面の少なくとも一部を被覆する第１の金属層と、
前記絶縁層の前記金属層により被覆された面の反対面の少なくとも一部を被覆する第２の金属層と、からなり、
前記ビアを介して前記上部電極の前記第１の金属層と前記第２の金属層とが電気的に繋がっていること、
を特徴とする、請求項６または７に記載のコンデンサ。
【請求項９】
前記絶縁体はセラミックスであることを特徴とする、請求項６から８のいずれか一に記載のコンデンサ。
【請求項１０】
前記上部電極と前記下部電極の少なくとも一部に凹凸を有する事を特徴とする、請求項１から９のいずれか一に記載のコンデンサ。
【請求項１１】
前記上部電極の上に設けられ熱硬化性を有する樹脂と誘電体フィラーとからなる第２の誘電体層と、
前記第２の誘電体層の上に設けられ熱硬化前の誘電体よりも高い剛性を有する第２の上部電極と、を更に有し、
前記第２の上部電極の少なくとも一部に前記基板と接触する為の突起部を有すること
を特徴とする、請求項１から１０のいずれか一に記載のコンデンサ。
【請求項１２】
前記誘電体層を構成する樹脂がエポキシ樹脂、シリコン樹脂、フェノール樹脂、フッ素ゴム樹脂のいずれかまたはそれらの複合材料であることを特徴とする、請求項１から１１のいずれか一に記載のコンデンサ。
【請求項１３】
前記誘電体層を構成する誘電体フィラーがチタン酸化物であることを特徴とする、請求項１から１２のいずれか一に記載のコンデンサ。
【請求項１４】
請求項１〜１３のいずれか一に記載の前記コンデンサが表面に設置されていることを特徴とする配線基板。
【請求項１５】
請求項３に記載のコンデンサが設置されている配線基板であって、前記上部電極と前記配線基板上の金属パッドもしくは配線とが導電性樹脂又はワイヤーボンディングにより電気的に接続されている事を特徴とする、請求項１４に記載の配線基板。
【請求項１６】
請求項１１に記載のコンデンサが設置されている配線基板であって、最上部電極にテーパー形状を設け、前記最上部電極が導電性樹脂により前記配線基板上の金属パッドもしくは配線に電気的に接続されていることを特徴とする配線基板。
【請求項１７】
請求項１〜１３のいずれか一に記載の前記コンデンサを内蔵することを特徴とする配線基板。
【請求項１８】
基板上に設置した下部電極上に、熱硬化前の誘電体を所望のコンデンサ膜厚よりも高く供給する工程と、
前記熱硬化前の誘電体を上部電極でプレスする工程と、
前記誘電体を熱硬化させる工程と、を含むことを特徴とする、コンデンサの製造方法。
【請求項１９】
前記熱硬化前の誘電体を前記下部電極上に供給する工程において、次工程の前記上部電極によるプレス時に前記熱硬化前の誘電体が押し広げられて以降も、前記熱硬化前の誘電体が前記基板と前記上部電極突起部の接触部に接しないよう、前記熱硬化性誘電体の塗布量、塗布位置、および塗布形状を制御することを特徴とする、請求項１８に記載のコンデンサの製造方法。
【請求項２０】
配線基板の絶縁層上に下部電極を設置する工程と、
前記下部電極上に、熱硬化前の誘電体を所望のコンデンサ膜厚よりも高く供給する工程と、
前記熱硬化前の誘電体を上部電極でプレスする工程と、
前記誘電体を熱硬化させる工程と、を含むことを特徴とする、コンデンサを有する配線基板の製造方法。
【請求項２１】
前記熱硬化前の誘電体を前記下部電極上に供給する工程において、次工程の前記上部電極によるプレス時に前記熱硬化前の誘電体が押し広げられて以降も、前記熱硬化前の誘電体が前記配線基板と前記上部電極突起部の接触部に接しないよう、前記熱硬化性誘電体の塗布量、塗布位置、および塗布形状を制御することを特徴とする、請求項２０に記載のコンデンサを有する配線基板の製造方法。
【請求項２２】
前記誘電体を熱硬化させる工程の後に、
前記上部電極および前記誘電体の側壁と前記配線基板上面の間に絶縁体の傾斜部を設ける工程と、
前記絶縁体の傾斜部を介して前記上部電極と前記配線基板上の電極または配線を電気的に接続する工程と、
をさらに含む事を特徴とする、請求項２０又は２１に記載のコンデンサを有する配線基板の製造方法。
【発明の詳細な説明】
【技術分野】
【０００１】
本発明は、コンデンサ、配線基板およびそれらの製造方法に関する。
【背景技術】
【０００２】
従来、電子機器の小型薄型化を図る為に、コンデンサは表面実装型のチップ部品として、部品実装基板表面にハンダ付けして設けられているものが多い。しかし、チップコンデンサをハンダ付けした場合、部品実装基板の薄型化に限界があり、印刷を用いてコンデンサを薄型化する方法が開示されている。例えば、特開平９−１７６８９に示されるように、電極の上に誘電体層と、マイグレーション防止層としてのカーボンペースト層、更に上部電極としての導電体ペースト層を印刷により形成する方法や、特開平９−１７６８９のように、誘電体層を印刷した後、仮硬化状態でプレスによる平坦化を行い、更に本硬化を行う方法もあった。加えて、特開平８−２７９６６９のように仮硬化と平坦化を繰り返して多層化する方法もあった。また、特開２００６−１２０３２６では、基板と上部電極とを接触させた形式のキャパシタが開示されている。
【先行技術文献】
【特許文献】
【０００３】
【特許文献１】特開平０９−１７６８９号公報
【特許文献２】特開平０８−２７９６６９号公報
【特許文献３】特開２００６−１２０３２６号公報
【非特許文献】
【０００４】
【非特許文献１】“システム技術開発調査研究１７−Ｒ−４ポーラス金属の利用技術の可能性に関する調査研究報告書”，  ｐ２０−２６
【非特許文献２】“Ｆａｂｒｉｃａｔｉｏｎ  ｏｆ  ｌｏｔｕｓ−ｔｙｐｅ  ｐｏｒｏｕｓ  ｉｒｏｎ  ａｎｄ  ｉｔｓ  ｍｅｃｈａｎｉｃａｌ  ｐｒｏｐｅｒｔｉｅｓ”，  Ｓ．Ｋ．Ｈｙｕｎ，Ｔ．Ｉｋｅｄａ  ａｎｄ  Ｈ．Ｎａｋａｊｉｍａ，Ｓｃｉ．Ｔｅｃｈ．Ａｄｖ．Ｍａｔｅｒ．，５，２０１  （２００４）．
【非特許文献３】“Ｅｖａｌｕａｔｉｏｎ  ｏｆ  ｐｏｒｏｓｉｔｙ  ｉｎ  ｐｏｒｏｕｓ  ｃｏｐｐｅｒ  ｆａｂｒｉｃａｔｅｄ  ｂｙ  ｕｎｉｄｉｒｅｃｔｉｏｎａｌ  ｓｏｌｉｄｉｆｉｃａｔｉｏｎ  ｕｎｄｅｒ  ｐｒｅｓｓｕｒｉｚｅｄ  ｈｙｄｒｏｇｅｎ”，  Ｓ．Ｙａｍａｍｕｒａ，Ｈ．Ｓｈｉｏｔａ，Ｋ．Ｍｕｒａｋａｍｉ  ａｎｄ  Ｈ．Ｎａｋａｊｉｍａ，Ｍａｔｅｒ．Ｓｃｉ．Ｅｎｇ．，Ａ３１８，１３７  （２００１）．
【非特許文献４】“水素雰囲気下で一方向凝固法により作製したポーラスマグネシウム合金のポア形態とミクロ組織”，  星山英男，池田輝之，村上健児，中嶋英雄：日本金属学会誌，６７，７１４  （２００３）．
【非特許文献５】“Ｆａｂｒｉｃａｔｉｏｎ  ｏｆ  Ｌｏｔｕｓ−ｔｙｐｅ  Ｐｏｒｏｕｓ  Ｍｅｔａｌｓ  ａｎｄ  ｔｈｅｉｒ  Ｐｈｙｓｉｃａｌ  Ｐｒｏｐｅｒｔｉｅｓ”，  Ｈ．Ｎａｋａｊｉｍａ，Ｔ．Ｉｋｅｄａ  ａｎｄ  Ｓ．Ｋ．Ｈｙｕｎ，Ａｄｖ．Ｅｎｇ．Ｍａｔｅｒ．，６，３７７  （２００４）．
【非特許文献６】“Ｆａｂｒｉｃａｔｉｏｎ  ｏｆ  Ｌｏｔｕｓ−Ｔｙｐｅ  Ｐｏｒｏｕｓ  Ｓｔａｉｎｌｅｓｓ  Ｓｔｅｅｌ  ｂｙ  Ｃｏｎｔｉｎｕｏｕｓ  Ｚｏｎｅ  Ｍｅｌｔｉｎｇ  Ｔｅｃｈｎｉｑｕｅ  ａｎｄ  Ｍｅｃｈａｎｉｃａｌ  Ｐｒｏｐｅｒｔｙ”，  Ｔ．Ｉｋｅｄａ，Ｔ．Ａｏｋｉ  ａｎｄ  Ｈ．Ｎａｋａｊｉｍａ，Ｍｅｔａｌｌ．Ｍａｔｅｒ．Ｔｒａｎｓ．，３６Ａ，７７  （２００５）．
【非特許文献７】“Ａｎｉｓｏｔｒｏｐｉｃ  ｅｌｅｃｔｒｉｃａｌ  ｃｏｎｄｕｃｔｉｖｉｔｙ  ｏｆ  ｌｏｔｕｓ−ｔｙｐｅ  ｐｏｒｏｕｓ  ｎｉｃｋｅｌ”，  Ｍ．Ｔａｎｅ，Ｓ．Ｋ．Ｈｙｕｎ，Ｈ．Ｎａｋａｊｉｍａ，Ｊ．Ａｐｐｌ．Ｐｈｙｓ．９７，１０３７０１  （２００５）．
【非特許文献８】“Ｓｏｕｎｄ  ａｂｓｏｒｐｔｉｏｎ  ｃｈａｒａｃｔｅｒｉｓｔｉｃｓ  ｏｆ  ｌｏｔｕｓ−ｔｙｐｅ  ｐｏｒｏｕｓ  ｃｏｐｐｅｒ  ｆａｂｒｉｃａｔｅｄ  ｂｙ  ｕｎｉｄｉｒｅｃｔｉｏｎａｌ  ｓｏｌｉｄｉｆｉｃａｔｉｏｎ”，  Ｚ．Ｋ．Ｘｉｅ，Ｔ．Ｉｋｅｄａ，Ｙ．Ｏｋｕｄａ  ａｎｄ  Ｈ．Ｎａｋａｊｉｍａ，Ｍａｔｅｒ．Ｓｃｉ．Ｅｎｇ．，Ａ３８６，３９０−３９５（２００４）
【非特許文献９】“Ａｎｉｓｏｔｒｏｐｉｃ  ｍｅｃｈａｎｉｃａｌ  ｐｒｏｐｅｒｔｉｅｓ  ｏｆ  ｐｏｒｏｕｓ  ｃｏｐｐｅｒ  ｆａｂｒｉｃａｔｅｄ  ｂｙ  ｕｎｉｄｉｒｅｃｔｉｏｎａｌ  ｓｏｌｉｄｉｆｉｃａｔｉｏｎ”，  Ｓ．Ｋ．Ｈｙｕｎ，Ｋ．Ｍｕｒａｋａｍｉ  ａｎｄ  Ｈ．Ｎａｋａｊｉｍａ，Ｍａｔｅｒ．Ｓｃｉ．Ｅｎｇ．，Ａ２９９，２４１  （２００１）．
【発明の概要】
【発明が解決しようとする課題】
【０００５】
しかしながら、コンデンサを印刷法により作製する場合は誘電体層の膜厚制御が難しく、繰り返し作製時の容量値が安定しないという問題があった。また、特許文献１や特許文献２のように誘電体層を仮硬化状態でプレスし、本硬化を行う方法では、工程数が多くコンデンサの作製効率が低いという問題があった。また、特許文献３においても、先に誘電体層を形成した後に上部電極を形成するものであり、誘電体層の膜厚を機械的に制御できるものではなかった。
【０００６】
本発明の目的は、容量値の製造ばらつきが小さいコンデンサ、前記コンデンサを有する配線基板、およびそれらを高効率で作製する製造方法を提供する事である。
【課題を解決するための手段】
【０００７】
本発明の第１の視点において、本発明に係るコンデンサは、基板と、前記基板上に設けられた下部電極と、少なくとも前記下部電極上に設けられ、少なくとも熱硬化性を有する樹脂と誘電体フィラーとからなる誘電体層と、前記誘電体層の上に設けられ、熱硬化前の前記誘電体よりも高い剛性を有する上部電極と、からなる。また前記上部電極の少なくとも一部に前記基板と前記上部電極との間隔を規定するための突起部を有しており、前記上部電極の前記誘電体層に対向する面の少なくとも一部は、前記誘電体層に接触していない事を特徴とする。
【０００８】
本発明の第２の視点において、本発明に係るコンデンサは、基板と、前記基板上に設けられた下部電極と、前記基板上と前記下部電極上に設けられ、少なくとも熱硬化性を有する樹脂と誘電体フィラーからなる誘電体層と、前記誘電体層の上に設けられ、熱硬化前の前記誘電体よりも高い剛性を有する上部電極と、からなる。また前記上部電極の少なくとも一部に前記基板と前記上部電極との間隔を規定するための突起部を有しており、前記誘電体層が前記上部電極と前記下部電極の間からはみ出ている事を特徴とする。
【０００９】
第３の視点において、本発明に係る配線基板は、上記コンデンサが表面に設置されているか、又は内蔵されていることを特徴とする。
【００１０】
第４の視点において、本発明に係るコンデンサの製造方法は、基板上に設置した下部電極上に、熱硬化前の誘電体を所望のコンデンサ膜厚よりも高く供給する工程と、前記熱硬化前の誘電体を上部電極でプレスする工程と、前記誘電体を熱硬化させる工程と、を含むことを特徴とする。
【００１１】
第５の視点において、本発明に係るコンデンサを有する配線基板の製造方法は、配線基板の絶縁層上に下部電極を設置する工程と、前記下部電極上に、熱硬化前の誘電体を所望のコンデンサ膜厚よりも高く供給する工程と、前記熱硬化前の誘電体を上部電極でプレスする工程と、前記誘電体を熱硬化させる工程と、を含むことを特徴とする。
【発明の効果】
【００１２】
本発明によれば、容量値の製造ばらつきが小さいコンデンサ、前記コンデンサを有する配線基板、およびそれらを高効率で作製する製造方法を提供する事ができる。
【００１３】
即ち本発明のコンデンサは、下部電極上に設けられた誘電体の熱硬化前の時点よりも高い剛性を有する上部電極の少なくとも一部に実装基板と上部電極との間隔を規定する突起部を有する構造により、熱硬化前誘電体を下部電極上に供給した後、その上から前記上部電極をプレスするだけの簡便な方法で、自動的に誘電体の厚さを精度良く制御する事ができる。また、本製造方法を用いる事により、特許文献２に記載の誘電体の平坦化工程や仮硬化工程を省略でき、作製効率を向上することができる。また、熱硬化前誘電体を上部電極により押し広げる事によって、上部電極／誘電体界面への空気の入り込みを防ぎ、容量値の低下を防ぐ事ができる。
【図面の簡単な説明】
【００１４】
【図１】本発明に係る第１の実施形態の概略断面図である。
【図２】本発明に係る第１の実施形態の概略斜視図である。
【図３】本発明に係る第１の実施形態の製造方法を示す概略断面図である。
【図４】本発明に係る第１の実施形態の誘電体ペースト供給方法の一形態である。
【図５】本発明に係る第２の実施形態の概略断面図である。
【図６】本発明に係る第３の実施形態の概略断面図である。
【図７】本発明に係る第３の実施形態の概略斜視図である。
【図８】本発明に係る第４の実施形態の概略断面図である。
【図９】本発明に係る第５の実施形態の概略断面図である。
【図１０】本発明に係る第６の実施形態の概略断面図である。
【図１１】本発明に係る第７の実施形態の概略断面図である。
【図１２】本発明に係る第８の実施形態の概略断面図である。
【図１３】本発明に係る第９の実施形態の概略斜視図である。
【図１４】本発明に係る第１０の実施形態の概略断面図である。
【図１５】本発明に係る第１０の実施形態の概略斜視図である。
【図１６】本発明に係る第１１の実施形態の配線基板上単層コンデンサの概略斜視図である。
【図１７】本発明に係る第１１の実施形態の配線基板上多層コンデンサの概略斜視図である。
【図１８】本発明に係る第１１の実施形態の配線基板上多層コンデンサの概略断面図である。
【図１９】本発明に係る第１２の実施形態の概略断面図である。
【図２０】本発明に係る第１２の実施形態の製造方法を示す概略断面図である。
【発明を実施するための形態】
【００１５】
第１及び第２の視点において、前記上部電極の外周部の少なくとも一部に配された突起部がテーパー形状をしていることが好ましい。
【００１６】
また、前記上部電極は金属からなる事が好ましい。
【００１７】
また、前記上部電極の少なくとも一部が多孔質である事が好ましい。
【００１８】
また、前記上部電極が金属と絶縁体とからなる事が好ましい。
【００１９】
また、前記上部電極の突起部の少なくとも一部が絶縁体であって、前記絶縁体が前記基板に接触する事が好ましい。
【００２０】
また、前記上部電極は、金属よりも高い剛性を有する前記絶縁体からなる絶縁層と、前記絶縁層を貫通し導電体からなるビアと、前記絶縁層の前記誘電体層に隣接する面の少なくとも一部を被覆する第１の金属層と、前記絶縁層の前記金属層により被覆された面の反対面の少なくとも一部を被覆する第２の金属層と、からなり、前記ビアを介して前記上部電極の前記第１の金属層と前記第２の金属層とが電気的に繋がっていることが好ましい。
【００２１】
また、前記絶縁体はセラミックスであることが好ましい。
【００２２】
また、前記上部電極と前記下部電極の少なくとも一部に凹凸を有する事が好ましい。
【００２３】
また、前記上部電極の上に設けられ熱硬化性を有する樹脂と誘電体フィラーとからなる第２の誘電体層と、前記第２の誘電体層の上に設けられ熱硬化前の誘電体よりも高い剛性を有する第２の上部電極と、を更に有し、前記第２の上部電極の少なくとも一部に前記基板と接触する為の突起部を有することが好ましい。
【００２４】
また、前記誘電体層を構成する樹脂がエポキシ樹脂、シリコン樹脂、フェノール樹脂、フッ素ゴム樹脂のいずれかまたはそれらの複合材料であることが好ましい。
【００２５】
また、前記誘電体層を構成する誘電体フィラーがチタン酸化物であることが好ましい。
【００２６】
第３の視点において、テーパー形状の突起部を有するコンデンサが設置されている配線基板であって、前記上部電極と前記配線基板上の金属パッドもしくは配線とが導電性樹脂又はワイヤーボンディングにより電気的に接続されている事が好ましい。
【００２７】
複数のコンデンサが積層された配線基板であって、最上部電極にテーパー形状を設け、前記最上部電極が導電性樹脂により前記配線基板上の金属パッドもしくは配線に電気的に接続されていることが好ましい。
【００２８】
第４の視点において、前記熱硬化前の誘電体を前記下部電極上に供給する工程において、次工程の前記上部電極によるプレス時に前記熱硬化前の誘電体が押し広げられて以降も、前記熱硬化前の誘電体が前記基板と前記上部電極突起部の接触部に接しないよう、前記熱硬化性誘電体の塗布量、塗布位置、および塗布形状を制御することが好ましい。
【００２９】
第５の視点において、前記熱硬化前の誘電体を前記下部電極上に供給する工程において、次工程の前記上部電極によるプレス時に前記熱硬化前の誘電体が押し広げられて以降も、前記熱硬化前の誘電体が前記配線基板と前記上部電極突起部の接触部に接しないよう、前記熱硬化性誘電体の塗布量、塗布位置、および塗布形状を制御することが好ましい。
【００３０】
また、前記誘電体を熱硬化させる工程の後に、前記上部電極および前記誘電体の側壁と前記配線基板上面の間に絶縁体の傾斜部を設ける工程と、前記絶縁体の傾斜部を介して前記上部電極と前記配線基板上の電極または配線を電気的に接続する工程と、をさらに含む事が好ましい。
【００３１】
以下、具体的な実施形態を挙げて、本発明に係るコンデンサの構造及びその製造方法ならびに効果について説明する。
【００３２】
（第１の実施形態）
（構造）
図１は、本発明の第１の実施形態であるコンデンサの断面図であり、図２は斜視図である。コンデンサ１は、上部電極２と、誘電体層３と下部電極４からなり、基板５上に形成されている。
【００３３】
上部電極２は、基板５と上部電極２との間隔を規定する為の突起部１５を有し、かつ熱硬化前の誘電体層よりも高い剛性を持つ材料からなる。熱硬化前の誘電体層よりも高い剛性を持つ材料として、例えば金属が挙げられる。具体的には、Ａｕ、Ａｇ、Ｃｕ、Ａｌ、Ｆｅ、Ｎｉ、Ｃｏ、Ｃｒなどが挙げられる。
【００３４】
誘電体層３は熱硬化性樹脂と高誘電率材料（以下、誘電体フィラー）を含む材料からなり、前記熱硬化性樹脂としては、エポキシ樹脂、シリコーン樹脂、フェノール樹脂、メラミン樹脂、ポリイミド樹脂、フッ素ゴム樹脂や、これらを複合した材料を用いる事ができる。また誘電体フィラーとしては、チタン酸バリウム、チタン酸ストロンチウム、チタン酸マグネシウム、チタン酸ジルコン亜鉛等のチタン酸化物もしくは、これらの複合材料、更にこれらに少量のＣａや希土類を添加した材料を用いる事ができる。また、誘電体層中の誘電体フィラーの割合を増やす程、高誘電率を得る事ができるが、樹脂成分の割合が過度に少ないと十分な誘電体層自体または／および電極との接着強度を維持する事ができない為、誘電体フィラーの割合は誘電体層全体の７０〜９０ｗｔ％が好ましい。また、誘電体フィラーの粒径は、小さ過ぎるとサイズ効果によって誘電率が下がり、大き過ぎると膜厚の制御性に不利に働くなどの理由から、０．１〜１００μｍ程度が好ましい。
【００３５】
下部電極４は金属からなる。前記金属として、例えば、Ａｕ、Ａｇ、Ｃｕ、Ａｌ、Ｆｅ、Ｎｉ、Ｃｏ、Ｃｒ、Ｍｎ、Ｔｉ、Ｗ、Ｍｏなどが挙げられる。
【００３６】
（製造方法）
図３は、本発明の第１の実施形態の製造方法の概略図である。コンデンサ１は、基板５上に形成した下部電極４上に前記熱硬化性樹脂と前記誘電体フィラーと粘度調整用の溶剤や誘電体フィラーの分散材からからなる誘電体ペースト３ａを供給し、前記上部電極２を誘電体ペースト３ａの上からプレスし、熱硬化させる事によって形成される。
【００３７】
図３（ａ）では、基板５上に下部電極４を形成する。前記下部電極４は、スパッタ法、メッキ法、蒸着法などの方法により、基板５上の全面に金属層を堆積し、不要な部分を化学的、物理的エッチングにより除去する、もしくは不要な部分をマスキングした上で金属層堆積とパターニングを同時に行う事によって得られる。
【００３８】
次に、図３（ｂ）では、誘電体ペースト３ａを下部電極４上に供給する。誘電体ペースト３ａは、グラビア印刷もしくはスクリーン印刷を用いて、下部電極４上に塗布する事ができる。誘電体ペースト３ａの供給量は、所望膜厚と電極面積の積以上が必要であり、それよりも１０％〜３０％多くするのが更に好適である。誘電体ペースト３ａを全面に塗布する場合であっても、所望の膜厚よりも１０％〜３０％は厚く塗った方が、容量の制御性を高める事ができる。
【００３９】
最後に図３（ｃ）では、上部電極２を前記誘電体ペースト３ａの上からプレスし、熱硬化させる事によりコンデンサ１を形成する。上部電極２が突起部１５を有している為、突起部１５が基板５と接触する事により基板５と上部電極２との間隔を機械的に規定し、プレス時に自動で機械的に膜厚制御をする事ができる。また、誘電体ペースト３ａは流動性を有する材料である為、上部電極２をプレスする事により、上部電極２と下部電極４の間に濡れ広がり、ボイドによる容量低下を防ぐ事ができる。
【００４０】
基板５との接触部を有する上部電極２は、レーザー加工、切削、プレス加工により形成する事ができる。また、突起部１５の高さが数十ｎｍ〜数μｍ程度の微小高さの場合は、フォトリソグラフィーによるパターンニングとウェットエッチングもしくはドライエッチングにより形成する事ができる。
【００４１】
プレス時の加圧力は誘電体ペースト３ａが流動でき、上部電極２が変形しない大きさの範囲内に納める。これにより、低荷重で上部電極２のプレスが可能であり、上部電極２自体の変形や亀裂が生じにくい。加えて、プレス時に電極に均等に荷重がかかるように、例えば、電極と同形状の支持体でプレスすると更に上部電極２の変形や亀裂は生じにくい。また、熱硬化は、１００〜２００℃の温度範囲で、０．５〜１．５時間で行う事ができる。
【００４２】
更に、誘電体ペースト３ａの供給方法は、印刷ではなくディスペンスを用いる事もできる。図４は誘電体ペースト３ａをディスペンスにより供給した場合の概略図である。誘電体ペースト３ａの供給量の合計を、電極面積と膜厚の積から求まる誘電体層体積の１０％〜３０％増し程度に制御する。そして、下部電極４上に供給する誘電体ペースト３ａを中心とし、誘電体ペースト３ａ供給量を所望のコンデンサ膜厚で割った大きさを面積とする円の外もしくは、中心から遠い距離に上部電極２の突起部１５が位置するように供給する。この供給方法を用いる事により、誘電体ペースト３ａが上部電極２の突起部１５と基板５との接触部の隙間に入り込むのを抑制する事ができ、コンデンサの膜厚をより高精度に制御する事ができる。
【００４３】
（効果）
上部電極２に設けられた突起部１５により、自動で機械的に膜厚制御が可能である為、容量値の製造ばらつきが小さいコンデンサ構造を得る事ができる。加えて、特開平８−２７９６６９に記載の平坦化工程、仮硬化工程を上部電極２と誘電体層３を一括で形成するプレス工程により省略する事ができるので、作製効率を上昇させることが可能である。
【００４４】
（第２の実施形態）
（構造）
図５は、本発明の第２の実施形態であるコンデンサの断面図である。図１、２との違いは、上部電極２と下部電極４の間から、誘電体層３がはみ出ている点である。
【００４５】
（製造方法）
製造方法は、下部電極４上に供給する誘電体ペースト３ａの量を下部電極４と上部電極２の間の空間体積よりも多くする事以外は、第１の実施形態と同様である。
【００４６】
（効果）
誘電体ペースト３ａが上部電極２と下部電極４の間からはみ出ていても、容量値のバラツキには関係がない。この為、誘電体ペースト３ａの量を制御する際に広めにマージンをとる事ができる。
【００４７】
（第３の実施形態）
（構造）
図６は、本発明の第３の実施形態であるコンデンサの断面図であり、図７は斜視図である。図１、２との違いは、上部電極２の外周部に外側に向かってテーパー（傾斜させた）形状の突起部１５を設けているという点である。第１及び第２の実施形態においては、上部電極２の突起部１５はコーナー部にのみ配していたが、第３実施形態においては、傾斜させた突起部１５を広範囲にわたって延在させている。これは後述のように、接続配線を印刷しやすくするためである。上部電極２から、基板５に印刷により配線を形成する事を想定し、テーパー角は５０°以上あった方が好ましい。
【００４８】
（製造方法）
テーパー付き電極２ａは、ＹＡＧレーザー等を用いたレーザー加工により形成できる。まず、板状の金属の外周をテーパー角が５０°以上になるように、削ぎ落とす。テーパー形状は、印刷配線の形成する場所にのみあればいいので、全体にテーパー形状をつける必要はない。次に、外周部にテーパー形状の設けられた金属板をレーザーにより中をくり貫く事で、テーパー付き電極２ａが形成される。
【００４９】
（効果）
前記コンデンサが配線基板上に作られている事を想定した場合、上部電極２と配線基板表面に設けられた配線を電気的に接続する必要がある。この接続は、スクリーン印刷やグラビア印刷によって形成した導電性樹脂による印刷配線で行うことが好ましい。スクリーン印刷やグラビア印刷では、印刷版が被刷体に追従する事により、ペーストが転写される。しかし、上部電極２に急峻な段差が有ると、印刷版が段差に追従できない為、段差部でペーストが塗出しない。そこで、テーパー形状を設ける事により、スクリーン印刷やグラビア印刷では、印刷版が上部電極２に追従しやすくなり、断線不良を回避する事ができる。また、インクジェット印刷による配線形成においても、テーパーを設ける事により、液滴が基板５に吸着接着しやすくなる為、断線不良を回避する事ができる。これにより、上部電極２から印刷により確実に配線を形成する事ができる。
【００５０】
（第４の実施形態）
（構造、製造方法）
図８は、本発明の第４の実施形態であるコンデンサの断面図であり、図１との違いは、上部電極として多孔質金属電極２ｂを用いた点である。多孔質金属電極２ｂの金属中もしくは表面に無数の穴があいており、穴径（ポアサイズ）は直径数μｍ〜数ｍｍまで用いる事ができ、空隙率（ポロシティ）が高いと導電率が低下するので、５〜５０％が好ましい。前記多孔質状の金属として、Ｃｕ、Ｆｅ、Ｎｉ、Ｍｇ、Ａｌ、Ｔｉを使用する事ができる。
【００５１】
（製造方法）
多孔質状の金属は、例えば大阪大学の中嶋英雄らが行っている連続溶融法を用いて精製する事ができる。下記に参考文献を列挙する。
（参考文献）
１）  “システム技術開発調査研究１７−Ｒ−４ポーラス金属の利用技術の可能性に関する調査研究報告書”，  ｐ２０−２６
２）  “Ｆａｂｒｉｃａｔｉｏｎ  ｏｆ  ｌｏｔｕｓ−ｔｙｐｅ  ｐｏｒｏｕｓ  ｉｒｏｎ  ａｎｄ  ｉｔｓ  ｍｅｃｈａｎｉｃａｌ  ｐｒｏｐｅｒｔｉｅｓ”，  Ｓ．Ｋ．Ｈｙｕｎ，Ｔ．Ｉｋｅｄａ  ａｎｄ  Ｈ．Ｎａｋａｊｉｍａ，Ｓｃｉ．Ｔｅｃｈ．Ａｄｖ．Ｍａｔｅｒ．，５，２０１  （２００４）．
３）  “Ｅｖａｌｕａｔｉｏｎ  ｏｆ  ｐｏｒｏｓｉｔｙ  ｉｎ  ｐｏｒｏｕｓ  ｃｏｐｐｅｒ  ｆａｂｒｉｃａｔｅｄ  ｂｙ  ｕｎｉｄｉｒｅｃｔｉｏｎａｌ  ｓｏｌｉｄｉｆｉｃａｔｉｏｎ  ｕｎｄｅｒ  ｐｒｅｓｓｕｒｉｚｅｄ  ｈｙｄｒｏｇｅｎ”，  Ｓ．Ｙａｍａｍｕｒａ，Ｈ．Ｓｈｉｏｔａ，Ｋ．Ｍｕｒａｋａｍｉ  ａｎｄ  Ｈ．Ｎａｋａｊｉｍａ，Ｍａｔｅｒ．Ｓｃｉ．Ｅｎｇ．，Ａ３１８，１３７  （２００１）．
４）  “水素雰囲気下で一方向凝固法により作製したポーラスマグネシウム合金のポア形態とミクロ組織”，  星山英男，池田輝之，村上健児，中嶋英雄：日本金属学会誌，６７，７１４  （２００３）．
５）  “Ｆａｂｒｉｃａｔｉｏｎ  ｏｆ  Ｌｏｔｕｓ−ｔｙｐｅ  Ｐｏｒｏｕｓ  Ｍｅｔａｌｓ  ａｎｄ  ｔｈｅｉｒ  Ｐｈｙｓｉｃａｌ  Ｐｒｏｐｅｒｔｉｅｓ”，  Ｈ．Ｎａｋａｊｉｍａ，Ｔ．Ｉｋｅｄａ  ａｎｄ  Ｓ．Ｋ．Ｈｙｕｎ，Ａｄｖ．Ｅｎｇ．Ｍａｔｅｒ．，６，３７７  （２００４）．
６）  “Ｆａｂｒｉｃａｔｉｏｎ  ｏｆ  Ｌｏｔｕｓ−Ｔｙｐｅ  Ｐｏｒｏｕｓ  Ｓｔａｉｎｌｅｓｓ  Ｓｔｅｅｌ  ｂｙ  Ｃｏｎｔｉｎｕｏｕｓ  Ｚｏｎｅ  Ｍｅｌｔｉｎｇ  Ｔｅｃｈｎｉｑｕｅ  ａｎｄ  Ｍｅｃｈａｎｉｃａｌ  Ｐｒｏｐｅｒｔｙ”，  Ｔ．Ｉｋｅｄａ，Ｔ．Ａｏｋｉ  ａｎｄ  Ｈ．Ｎａｋａｊｉｍａ，Ｍｅｔａｌｌ．Ｍａｔｅｒ．Ｔｒａｎｓ．，３６Ａ，７７  （２００５）．
７）  “Ａｎｉｓｏｔｒｏｐｉｃ  ｅｌｅｃｔｒｉｃａｌ  ｃｏｎｄｕｃｔｉｖｉｔｙ  ｏｆ  ｌｏｔｕｓ−ｔｙｐｅ  ｐｏｒｏｕｓ  ｎｉｃｋｅｌ”，  Ｍ．Ｔａｎｅ，Ｓ．Ｋ．Ｈｙｕｎ，Ｈ．Ｎａｋａｊｉｍａ，Ｊ．Ａｐｐｌ．Ｐｈｙｓ．９７，１０３７０１  （２００５）．
８）  “Ｓｏｕｎｄ  ａｂｓｏｒｐｔｉｏｎ  ｃｈａｒａｃｔｅｒｉｓｔｉｃｓ  ｏｆ  ｌｏｔｕｓ−ｔｙｐｅ  ｐｏｒｏｕｓ  ｃｏｐｐｅｒ  ｆａｂｒｉｃａｔｅｄ  ｂｙ  ｕｎｉｄｉｒｅｃｔｉｏｎａｌ  ｓｏｌｉｄｉｆｉｃａｔｉｏｎ”，  Ｚ．Ｋ．Ｘｉｅ，Ｔ．Ｉｋｅｄａ，Ｙ．Ｏｋｕｄａ  ａｎｄ  Ｈ．Ｎａｋａｊｉｍａ，Ｍａｔｅｒ．Ｓｃｉ．Ｅｎｇ．，Ａ３８６，３９０−３９５（２００４）
９）  “Ａｎｉｓｏｔｒｏｐｉｃ  ｍｅｃｈａｎｉｃａｌ  ｐｒｏｐｅｒｔｉｅｓ  ｏｆ  ｐｏｒｏｕｓ  ｃｏｐｐｅｒ  ｆａｂｒｉｃａｔｅｄ  ｂｙ  ｕｎｉｄｉｒｅｃｔｉｏｎａｌ  ｓｏｌｉｄｉｆｉｃａｔｉｏｎ”，  Ｓ．Ｋ．Ｈｙｕｎ，Ｋ．Ｍｕｒａｋａｍｉ  ａｎｄ  Ｈ．Ｎａｋａｊｉｍａ，Ｍａｔｅｒ．Ｓｃｉ．Ｅｎｇ．，Ａ２９９，２４１  （２００１）．
【００５２】
連続溶融法とは、溶融金属におけるガス原子の溶解度と、その固体金属中での固溶度の差を利用して、凝固時に固溶しきれないガス原子により気泡（ポア）を形成する方法であり、連続溶融法による多孔質状の金属はポアの方向、ポアサイズ、ポロシティを自由に制御できる。尚、多孔質金属の作製方法が前記連続溶融法に限定されないことは言うまでもない。
【００５３】
（効果）
誘電体ペースト３ａには粘度調整用、もしくはフィラーの分散材として溶剤が含まれている。これらの溶剤は、熱硬化時に揮発して抜けていくが、誘電体ペースト３ａを上から金属電極でプレスしていると、溶剤成分の抜け道は誘電体ペースト３ａの側面しかない。この為、急激な温度変化を与えると溶剤が一度に揮発し、側面から出られなかった揮発分は上部電極２と誘電体層３の界面付近にボイドを形成し、容量の低下原因となる危険性がある。そこで、多孔質状の金属電極を上部電極２として用いる事により、上方向に対しても溶剤の抜け道がある為、急激な温度変化に対してもボイドを作る事なく、揮発する事ができる。これにより、ボイドによる容量低下を防ぐ事ができるので、容量をより高いレベルで安定にする事ができる。加えて、多孔質状にする事で誘電体層３に接している電極の表面積が増加する為、容量値を増加させる事もできる。
【００５４】
（第５の実施形態）
（構造）
図９は、本発明の第５の実施形態であるコンデンサの断面図であり、図１との違いは、上部電極２が金属部分９と絶縁体部分８からなる絶縁体−金属複合電極２ｃとなっており、この複合電極２ｃの突起部１５が絶縁体であるという点である。
【００５５】
（製造方法）
金属部分９と絶縁体部分８からなる絶縁体−金属複合電極２ｃは、金属板に絶縁体である熱硬化性樹脂をスクリーン印刷、グラビア印刷、ディスペンスなどの方法により供給し、硬化させる事により形成する事ができる。前記絶縁体が、誘電体層３として機能すると容量値が不安定になる為、低誘電率な熱硬化性樹脂が好ましい。前記熱硬化性樹脂としては、エポキシ樹脂、シリコーン樹脂、フェノール樹脂、メラミン樹脂、ポリイミド樹脂、フッ素ゴム樹脂を用いる事ができ、熱硬化は１００〜２００℃の温度範囲で、０．５〜１．５時間で行う事ができる。
【００５６】
（効果）
突起部１５を絶縁体にする事により、突起部１５を介した下部電極４と上部電極２ｃとのショート不良の危険性を減らす事ができ、より安定してコンデンサを製造する事ができる。
【００５７】
（第６の実施形態）
（構造）
図１０は、本発明の第６の実施形態であるコンデンサの断面図である。図１との違いは、上部電極２として、芯材にセラミックス（絶縁体部分８）を用い、芯材の表裏面を金属膜（金属部分９）で覆い、かつ芯材に設けられたビアにより表裏面が電気的に繋がっている絶縁体−金属複合電極２ｃを用いている点である。前記セラミックスとして、窒化アルミ、ジルコニア、窒化珪素、炭化珪素等を用いる事ができる。また、前記金属には、Ａｕ、Ａｇ、Ｃｕ、Ａｌ、Ｆｅ、Ｎｉ、Ｃｏ、Ｃｒ、Ｍｎ、Ｔｉ、Ｗ、Ｍｏを用いる事ができる。
【００５８】
（製造方法）
前記芯材（絶縁体部分８）を突起部１５のある形にレーザー加工、切削、プレス加工のいずれかの方法により形成する。その後、レーザー加工、切削、パンチング、プラズマエッチングのいずれかの方法によりビアを設ける。ビア径が小さいと加工が困難で、ビアの抵抗も高くなる為、直径０．５ｍｍ以上はあった方がよい。また、金属膜（金属部分９）の形成は、スパッタ法、無電解メッキ法、蒸着法いずれかの方法で形成可能である。いずれの方法でも表裏面の金属膜形成と同時にビア側面にも金属膜を形成する事ができ、両面をビアを介して、電気的に接続する事ができる。
【００５９】
しかし、ビア径に対する、芯材厚さ（ビア高さ）の比、つまりビアのアスペクト比が大きい場合には、無電解メッキでは効率よく置換反応が起こらない事がある為、蒸着法やスパッタ法の方が好ましい。更に、スパッタ法は蒸着法よりも低真空で金属を堆積させる為、平均自由工程を短くでき、ビア側面への金属膜を形成しやすいことから、蒸着法よりも更にスパッタ法の方が好ましい。また、スパッタ法でも表面と裏面で電気的な接続が取れない場合、もしくはビア部の配線抵抗を小さくしたい場合には、ビアを印刷により導電性樹脂を塗布し、硬化させる事により埋めてもよい。
【００６０】
前記導電性樹脂は、導電性フィラー、熱硬化性樹脂、粘度調整用の溶剤、および導電性フィラーの分散剤などからなり、前記導電性フィラーとして、Ａｇ，Ａｕ，Ｃｕ，Ｐｄ，Ｎｉ，Ｃおよびこれらの合金材、もしくは表面をメッキしたものを用いる事ができ、前記熱硬化性樹脂としては、エポキシ樹脂、シリコーン樹脂、フェノール樹脂、メラミン樹脂、ポリイミド樹脂、フッ素ゴム樹脂、および、その複合材料を用いる事ができる。また導電性樹脂の硬化は１００℃〜２００℃の温度範囲で０．５〜１時間で行う事ができる。
【００６１】
（効果）
芯材にセラミックスを使用する事で、硬い材料を選定すれば、絶縁体−金属複合電極２ｃにより強い剛性を得る事ができる為、絶縁体−金属複合電極２ｃをより薄く形成する事ができる。加えて、コンデンサを基板内蔵する場合や基板５に実装する場合であれば、基板５の材質に合わせて、芯材を選定する事で、反りの低減を行う事ができる。これにより、コンデンサ内蔵基板を平坦に作製する事ができ、内蔵基板上にも問題無く電子機器を実装する事ができる。
【００６２】
（第７の実施形態）
（構造）
図１１は、本発明の第７の実施形態であるコンデンサの断面図であり、図１との違いは、上部電極２の誘電体層３と接触する面に、凹凸を形成して凹凸電極２ｄとしている点である。凹凸は、目的の凹凸高さによって作製方法が異なり、それにより形状も異なる。スクリーン印刷による凸部作製では、球状になり、蒸着法、スパッタ法、Ｇａｓ  Ｄｅｐｏｓｉｔｉｏｎ（以下、ＧＤ法）であれば、円錐形になる。またレーザー加工やウェットエッチングなどの反応性エッチングによる凹部形成では、パターンに対してダレが生じ、Ａｒスパッタなどの物理エッチングでは、垂直にエッチングされる。凹凸高さは０．１μｍ〜１ｍｍ程度であれば、任意に作製する事ができる。形状としては、最も表面積を増やす事ができる球状が好適である。
【００６３】
（製造方法）
前記凸部の高さが１０〜１００μｍのものは、スクリーン印刷により前記導電性樹脂を印刷、硬化する事により形成する事ができる。また、前記凸部の高さが２０〜５０μｍ程度のものであれば、ＡＩＳＴの青柳氏らが行っているＧａｓ  Ｄｅｐｏｓｉｔｉｏｎ法（ＧＤ法）によるＡｕバンプ作製も可能である。更に数十μｍを超えるような凸部であれば、プレス加工により形成可能である。前記の凸部よりも更に小さい凸部は、ハードマスクを用いたスパッタ法、蒸着法のいずれかで形成する事ができる。
【００６４】
一方、凹部はレーザー加工や切削など方法のよって、形成できる。加えて、凹部の深さが数μｍ以下の小さい凹部に関しては、フォトリソグラフィーによるパターニングとウェットもしくはドライエッチングにより形成する事ができる。ただし、誘電体に含まれる誘電体フィラーの平均断面積よりも広い面積の凹部でないと、誘電体フィラーが凹部を埋める事ができない為、容量値の低下に繋がる。この為、凹部の寸法が誘電体フィラーの平均粒径の１０倍以上はあった方がよい。
【００６５】
（効果）
凹凸電極により、電極面積が増加するので、同じコンデンサの厚さでも容量をより増やす事ができる。
【００６６】
（第８の実施形態）
（構造）
図１２は、本発明の第８の実施形態であるコンデンサの断面図であり、図１との違いは、誘電体層３を積層している点である。図１２では、二層積層させた構造を図示しているが、二層構造に限定するものではなく、誘電体層３が何層あっても同様である。
【００６７】
（製造方法）
本実施形態では、前記上部電極２を中間電極、もしくは最上部電極に使用する事ができ、電極作製方法に関しても前記の通りである。多層コンデンサは、下部電極４上に誘電体ペースト３ａを供給し、前記中間電極２を上からプレスする。加えて、同様の手順で、中間電極２上に誘電体ペースト３ａを供給し、中間電極２のプレスを繰り返す。最後に、誘電体ペースト３ａを供給後、最上部電極２をプレスし、全体を硬化させるによって形成する。誘電体ペースト３ａの硬化は最上部電極２によってプレスした後に１回のみで問題ないが、誘電体ペースト３ａが電極によるプレスで、電極外部にはみ出る事があり、外観上、気になる場合には、電極によるプレスを行う度に硬化させてもよい。
【００６８】
（効果）
多層化する事によって、限られた面積内でも高容量化を図る事ができる。
【００６９】
（第９の実施形態）
（構造）
図１３は本発明の第９の実施形態である、配線基板５ａ上に形成したコンデンサの斜視図である。配線基板５ａはエポキシ樹脂等の絶縁性樹脂フィルムとガラス繊維からなる絶縁性の基板５にＣｕのパターンを形成したものである。
【００７０】
（製造方法）
配線基板５ａはサブトラクティブ法もしくはアディティブ法で作製できる。配線６および下部電極４はＣｕからなる。この時、配線６と下部電極４は、接続点が無く繋がって形成している。本明細書に記載のコンデンサは大気中で作製するので、下部電極４表面が酸化してしまう事も多い。この酸化膜は直列低キャパシタ成分を作る為、容量値の低下を引き起こす原因になる。その為、Ｃｕ表面に酸化防止用としてＮｉＡｕメッキを施した方が好ましい。
【００７１】
下部電極４上に、各実施形態および各請求項に記載のコンデンサを作製した後、上部電極２と配線６（又は金属パッド）をワイヤーボンディング（以下、ＷＢ）１６により接続し、コンデンサを有する配線基板５ａが完成する。
【００７２】
（効果）
配線基板上にコンデンサを作製する事により、電子機器への用途を拡大させる事ができる。
【００７３】
（第１０の実施形態）
（構造）
図１４は、本発明の第１０の実施形態である配線基板５ａ上に形成したコンデンサの断面であり、図１５は斜視図である。図１３と異なり、上部電極２と基板５間に樹脂による傾斜を設け、その上を通り、上部電極２と配線６（又は金属パッド）が印刷配線６ａを介して接続している。前記樹脂としては、アンダーフィル剤（以下、ＵＦ剤）が好適である。前記印刷配線６ａは、導電性フィラーと熱硬化性樹脂と粘度調整用の溶剤および導電性フィラーの分散剤からなる導電性樹脂を印刷、硬化する事により形成される。前記導電性フィラーとして、Ａｇ，Ａｕ，Ｃｕ，Ｐｄ，Ｎｉ，Ｃおよびこれらの合金材、もしくは表面をメッキしたものを用いる事ができ、前記熱硬化性樹脂としては、エポキシ樹脂、シリコーン樹脂、フェノール樹脂、メラミン樹脂、ポリイミド樹脂、フッ素ゴム樹脂、および、その複合材料を用いる事ができる。
【００７４】
（製造方法）
基板５と上部電極２の間をＵＦ剤で満たし、基板５とＵＦ剤の作る角度が４０°以下になるように、傾斜を作る。その後、傾斜を通り、上部電極２と配線６間を覆うように導電性樹脂を供給する。前記導電性樹脂は、スクリーン印刷やグラビア印刷、インクジェット印刷などの方法により、塗布できる。その後、導電性樹脂を１００℃〜２５０℃の温度範囲で０．５〜１時間熱硬化する事により、上部電極２と配線６を接続させる印刷配線６ａを形成する事ができる。また、コンデンサ高さが印刷配線膜厚よりも小さい場合には、傾斜を設けなくても印刷配線の形成が可能であり、この場合はＵＦ剤を挿入する必要はない。
【００７５】
（効果）
ＷＢ接続に比べて、高さを低くできるので、携帯電話機器等の薄型電子機器に好適である。
【００７６】
（第１１の実施形態）
（構造）
図１６は、本発明の第１１の実施形態である配線基板上に形成したコンデンサの斜視図である。図１５と異なり、上部電極２、もしくは多層コンデンサの最上部電極２にテーパー形状が設けられており、上部電極２と基板５間をアンダーフィル樹脂で満たす事無く、印刷配線を形成する事ができる。図１７は多層コンデンサを用いた場合の斜視図であり、図１８は断面図である。
【００７７】
（製造方法）
ＵＦ剤を挿入しない以外は、第１０の実施形態と同様の作製方法にて作製可能である。
【００７８】
（効果）
ＵＦ剤を挿入しなくてよいので、作製効率が上がる。
【００７９】
（第１２の実施形態）
（構造）
図１９は、本発明の第１２の実施形態であるコンデンサを内蔵した配線基板５ｂの断面図である。配線基板の内部にコンデンサが内蔵されており、下部電極４と上部電極２がそれぞれＣｕ配線６と接続している。
【００８０】
（製造方法）
図２０は、図１９に示すコンデンサ内蔵基板の製造方法の概略図である。最初に図２０（ａ）では、本発明の第８〜第１０の実施形態に従い、配線基板上にコンデンサを作製する。
【００８１】
次に図２０（ｂ）では、コンデンサごと配線基板表面を樹脂７でコーティングする。樹脂７のコーティングは、例えばシート状の樹脂を真空ラミネート装置で真空加圧する事により形成する事ができる。この時、ラミネート後の樹脂表面が、平坦になるように、真空度と加圧力を調節する。前記樹脂７は絶縁性の樹脂を用いる事ができる。
【００８２】
更に図２０（ｃ）では、配線６を形成する部分を開口させる。この時、コンデンサの上部電極２と配線６で接続をとらなければならないので、少なくとも、上部電極２の一部が露出するようにする。開口部の形成は例えばＹＡＧレーザーなどを用いたレーザー加工で行う事ができる。
【００８３】
更に図２０（ｄ）では、開口部にＣｕ配線６を形成する。Ｃｕ配線６の形成は、例えばスパッタ法により前記樹脂表面にシード層をスパッタ法で形成した後、電界メッキによりＣｕ配線６を形成する事ができる。前記シード層は、樹脂から近い順にＴｉとＣｕの２層構造になっている。
【００８４】
以上の図２０（ｂ）〜（ｄ）の手順を繰り返す事により、配線層を多層化する事ができる。尚、コンデンサの基板内蔵方法は、上記内容に限定するものではない。
【００８５】
（効果）
コンデンサ素子が内蔵されているため、コンデンサ内蔵基板の表面に他の部品を搭載することが可能である。
【実施例】
【００８６】
本実施例は、本発明の第１０の実施形態について行ったものである。図１４および図１５に示す配線基板５ａ上のコンデンサ１は、上部電極２と、誘電体層３と下部電極４からなり、下部電極４と配線６は接続点なく繋がっている。また、樹脂７により配線基板５ａと上部電極２の間に傾斜を設け、印刷配線６ａにより上部電極２と配線６を接続した。
【００８７】
上部電極２は突起部１５を有し、熱硬化前誘電体層よりも剛性を持つＣｕからなる。加えて、本製造プロセスは大気中で行う為、表面に酸化防止用としてＮｉＡｕメッキ（図示せず）を施している。ＮｉＡｕメッキの厚さは、Ｎｉは２μｍ程度、Ａｕは０．０５μｍ程度である。
【００８８】
誘電体層３は熱硬化性樹脂であるエポキシ樹脂と高誘電率材料であるチタン酸バリウム（以下、ＢＴＯ）を含む材料からなり、エポキシ樹脂とＢＴＯを質量比８：２で混錬し、ＢＴＯの平均フィラー粒径は０．５μｍである。
【００８９】
下部電極４はＣｕからなり、厚さは１８μｍ程度である。上部電極５同様、表面にＮｉＡｕメッキ（図示せず）を施した。
【００９０】
配線基板５ａは、エポキシ樹脂等の絶縁性樹脂フィルムとガラス繊維からなる絶縁性の基板にＣｕのパターンを形成したものである。
【００９１】
（製造方法）
コンデンサ１はガラスエポキシ基板からなる基板にＣｕからなる下部電極４および配線６を形成し、下部電極４の上に熱硬化性樹脂であるエポキシ樹脂と高誘電率材料であるＢＴＯフィラーと粘度調整用のブチルカルビトールからなる誘電体ペーストを供給し、前記上部電極２を誘電体ペースト３ａの上からプレスし、熱硬化させる事によって形成した。
【００９２】
下部電極４および配線６は、サブトラクティブ法で作製した。加えて、下部電極４表面が酸化する事により形成される酸化膜が直列低キャパシタ成分を作る為、容量値の低下を引き起こす原因になる。その為、Ｃｕ表面に酸化防止用としてＮｉＡｕメッキを施した。突起部１５を有する上部電極２は、レーザー加工により作製し、突起高さは５０μｍとした。
【００９３】
誘電体層３は、前記誘電体ペーストをスクリーン印刷を用いて、下部電極４全面に平均して５０μｍ塗布した後、上部電極２を前記誘電体ペーストの上から、０．２ｋｇ／ｃｍ２程度の加圧力でプレスした後、熱硬化させて形成した。熱硬化は、１７０℃、６０分間で行った。
【００９４】
次に上部電極２と配線６間を、樹脂７で満たし、緩やかな傾斜を作った。この時、樹脂はＵＦ剤を使用し、傾斜は配線基板５ａに対して５°の角度になるように形成した。ＵＦ剤は１５０℃、２０分間で硬化を行った。その後、ＵＦ剤で形成した傾斜を介して、スクリーン印刷により印刷配線６ａを形成する事により、上部電極２と配線６を接続した。印刷配線６ａは、Ａｇフィラーとエポキシ樹脂を含む導電性樹脂を熱硬化する事によって得られ、配線厚さは３０μｍ程度で、熱硬化は１７０℃、６０分間であった。
【００９５】
（効果）
上部電極２に設けられた突起により、自動で機械的に膜厚制御ができ、容量値の製造ばらつきが小さいコンデンサ構造を得る事ができ、作製効率も向上した。
【００９６】
以上、本発明を上記実施形態に即して説明したが、本発明は上記実施形態の構成にのみ制限されるものでなく、本発明の範囲内で当業者であればなし得るであろう各種変形、修正を含むことは勿論である。
【符号の説明】
【００９７】
１  コンデンサ
１ａ  多層コンデンサ
２  上部電極
２ａ  テーパー付き電極
２ａａ  テーパー角
２ｂ  多孔質金属電極  
２ｃ  絶縁体−金属複合電極
２ｄ  凹凸電極
３  誘電体層
３ａ  誘電体ペースト
４  下部電極
５  基板
５ａ  配線基板
５ｂ  内蔵基板
６  配線
６ａ  印刷配線
７  樹脂
８  上部電極の絶縁体部分
９  上部電極の金属部分
１０  ビア
１５  突起部
１６  ワイヤーボンディング
【図１】
2010278217.tif 000003
【図２】
2010278217.tif 000004
【図３】
2010278217.tif 000005
【図４】
2010278217.tif 000006
【図５】
2010278217.tif 000007
【図６】
2010278217.tif 000008
【図７】
2010278217.tif 000009
【図８】
2010278217.tif 000010
【図９】
2010278217.tif 000011
【図１０】
2010278217.tif 000012
【図１１】
2010278217.tif 000013
【図１２】
2010278217.tif 000014
【図１３】
2010278217.tif 000015
【図１４】
2010278217.tif 000016
【図１５】
2010278217.tif 000017
【図１６】
2010278217.tif 000018
【図１７】
2010278217.tif 000019
【図１８】
2010278217.tif 000020
【図１９】
2010278217.tif 000021
【図２０】
2010278217.tif 000022